(57)【要約】【課題】重畳回路を有しなくても被写体と撮影補助線を重畳して表示することができる撮像装置等を提供する。【解決手段】撮像レンズ１０を通じて入射された被写体情報は、画像信号に変換されて画像用メモリ１９に供給される。画像用メモリ１９では、供給された画像信号が記録用の画像信号か表示用の画像信号かが判別される。撮影補助線機能がＯＮであれば、表示用の画像信号を構成する画素に対して走査処理を行われる。画素の位置情報を（ｘ，ｙ）とした場合に、予め設定されたｘ座標またはｙ座標の値を持つ画素に対して色情報を上書きすることにより撮影補助線を表示する。上述の処理は、プログラムがＣＰＵ１６により実行されることにより行われるため、画像信号と撮影補助線を表示するための標識信号を重畳する重畳回路は不要となり、撮像装置の小型化や低コストを図ることができる。【選択図】  図６
2005303428.tif 000002
【特許請求の範囲】
【請求項１】
撮影レンズを通じて入射された被写体情報を画像信号に変換し、上記画像信号を表示する表示部を備えた撮像装置において、
上記画像信号が記録用の第１の画像信号か、または表示用の第２の画像信号かを判別し、
上記第１の画像信号と判別されたときは、該画像信号が記録媒体に記録され、
上記第２の画像信号と判別されたときは、該画像信号による画像に対して撮影補助線が重畳された画像が上記表示部に表示されることを特徴とする撮像装置。
【請求項２】
上記第１の画像信号は、上記記録媒体に記録された後、再生時に上記表示部に出力される請求項１に記載の撮像装置。
【請求項３】
上記第２の画像信号を構成する特定の画素に対し、所定の色信号を上書きする処理を行うことにより上記撮影補助線を重畳することを特徴とする請求項１に記載の撮像装置。
【請求項４】
撮影レンズを通じて入射された被写体情報を画像信号に変換し、上記画像信号を表示する撮像方法において、
上記画像信号が記録用の第１の画像信号か、または表示用の第２の画像信号かを判別するステップと、
上記第１の画像信号と判別されたときは、該画像信号が記録媒体に記録され、上記第２の画像信号と判別されたときは、該画像信号による画像に対して撮影補助線が重畳された画像が上記表示部に表示されるステップを含む撮像方法。
【請求項５】
上記第１の画像信号は、上記記録媒体に記録された後、再生時に上記表示部に出力されるステップを含む請求項４に記載の撮像方法。
【請求項６】
上記第２の画像信号を構成する特定の画素に対し、所定の色信号を上書きする処理を行うことにより撮影補助線を重畳するステップを含む請求項４に記載の撮像方法。
【請求項７】
コンピュータに、
画像信号が記録用の第１の画像信号か、表示用の第２の画像信号かを判別するステップと、
上記第１の画像信号と判別されたときは、該画像信号を記録媒体に記録し、上記第２の画像信号と判別されたときは、上記第２の画像信号を構成する特定の画素に対し、所定の色信号を上書きする処理を行うことにより撮影補助線を重畳するステップを実行させるためのプログラム。
【発明の詳細な説明】
【技術分野】
【０００１】
この発明は、被写体と撮影補助線を重畳して表示部に表示することができる撮像装置、撮像方法およびプログラムに関する。
【背景技術】
【０００２】
近年、ディジタルカメラなどと称されるディジタル電子スチルカメラが広く普及しており、より鮮明な画像を撮影する技法を紹介する書籍なども数多く出版されている。写真撮影の技法の一つに三分割法と呼ばれる技法がある。これは、被写体が表示される画像を水平および垂直方向にそれぞれ三分割して構図を決定するものである。
【０００３】
しかしながら、一般のユーザが被写体を確認しながら画像を分割して構図を決定することは容易でない。そこで最近のディジタル電子スチルカメラには、撮影画像を表示する電子ビューパネル（Electric View Panel）などと称される表示部に、被写体と構図決定を補助するための撮影補助線が重畳して表示されるものがある。
【０００４】
下記の特許文献１には、被写体の画像を変換して映像信号を発生させる映像信号発生回路と、水平若しくは垂直方向の線状標識（撮影補助線）を表示するための標識信号を発生する標識信号発生回路を設け、２つの回路から出力される信号を重畳させて表示部に出力するビデオカメラファインダが記載されている。図１１に示すように、ユーザに対しては映像信号４１および標識信号４２が重畳されて表示される。
【０００５】
【特許文献１】特公平５−６７９３５号公報
【０００６】
また、下記の特許文献２には、ディジタル電子スチルカメラにおいて、撮影補助線を実現するための方法が記載されている。
【０００７】
【特許文献２】特開２０００−２７０２４２号公報
【発明の開示】
【発明が解決しようとする課題】
【０００８】
特許文献１に記載されている発明は、撮影補助線を表示するために、映像信号発生回路と標識信号発生回路および２つの回路から出力される信号を重畳する混合回路の３つの回路が必要とされる。また特許文献２に記載されている発明では、被写体画像に、例えばＲＯＭ（Read Only Memory）に格納されている撮影補助線用のデータを重ねるためのディジタル信号処理回路が必要とされる。このように、従来は撮影補助線の表示を行うために、映像データと撮影補助線用のデータを重畳する手段をハードウェアで持つ必要があり、ディジタル電子スチルカメラの小型化の大きな障害となっていた。
【０００９】
従ってこの発明の目的は、映像信号と標識信号の重畳手段を有しなくても必要に応じて撮影補助線を表示部に表示できる撮像装置、撮像方法およびプログラムを提供することである。
【課題を解決するための手段】
【００１０】
上述した課題を解決するために、請求項１に係る発明は、撮影レンズを通じて入射された被写体情報を画像信号に変換し、画像信号を表示する表示部を備えた撮像装置において、画像信号が記録用の第１の画像信号か、または表示用の第２の画像信号かを判別し、第１の画像信号と判別されたときは、該画像信号が記録媒体に記録され、第２の画像信号と判別されたときは、該画像信号による画像に対して撮影補助線が重畳された画像が表示部に表示されることを特徴とする撮像装置である。
【００１１】
請求項４に係る発明は、撮影レンズを通じて入射された被写体情報を画像信号に変換し、画像信号を表示する撮像方法において、画像信号が記録用の第１の画像信号か、または表示用の第２の画像信号かを判別するステップと、第１の画像信号と判別されたときは、該画像信号が記録媒体に記録され、第２の画像信号と判別されたときは、該画像信号による画像に対して撮影補助線が重畳された画像が表示部に表示されるステップを含む撮像方法である。
【００１２】
請求項７に係る発明は、コンピュータに、画像信号が記録用の第１の画像信号か、表示用の第２の画像信号かを判別するステップと、第１の画像信号と判別されたときは、該画像信号を記録媒体に記録し、第２の画像信号と判別されたときは、第２の画像信号を構成する特定の画素に対し、所定の色信号を上書きする処理を行うことにより撮影補助線を重畳するステップを実行させるためのプログラムである。
【発明の効果】
【００１３】
この発明によれば、映像信号と、撮影補助線を表示するための標識信号を重畳する重畳回路を必要としないためディジタル電子スチルカメラの小型化や低コストを図ることができる。
【発明を実施するための最良の形態】
【００１４】
以下、図面を参照しながらこの発明の一実施形態について説明する。この一実施形態においては、撮像装置をディジタル電子スチルカメラ（以下、適宜、ディジタルカメラと称する）として説明するが、カムコーダ（camcoder：camera and recorderを略した用語）などの他の撮像装置にもこの発明を適用することができ、ディジタルカメラに限定されることはない。
【００１５】
図１はディジタルカメラ１の正面から見た外観を示し、図２は背面から見た外観を示す。この発明の一実施形態におけるディジタルカメラ１には、シャッターボタン（レリーズボタン）２、電源切替ボタン３、光学ビューファインダ４、フラッシュ５、撮像レンズ６が備えられる。また、図２に示すように、ディジタルカメラ１には、メニューカーソル指示ボタン類および選択指示ボタン（以下、適宜、指示ボタンと称する）７、機能ボタン類８および表示部としての電子ビューパネル９が備えられる。
【００１６】
指示ボタン７は、例えば４つのカーソルキーと中央の決定ボタンからなる。４つのカーソルキーは、特定の機能へのショートカットを行ったり、表示の切替を行う。カーソルキーにより選択した機能を中央の決定ボタンを用いて決定する。機能ボタン類８は、例えばメニュー表示を行うボタン等であり、カメラの性能、機能により種々の機能ボタンを取付けることができる。電子ビューパネル９は、例えば液晶パネル（ＬＣＤ（Liquid Crystal Display））などである（以下、電子ビューパネル９をＬＣＤ９と称する）。
【００１７】
撮影補助線機能がＯＦＦの場合に、例えば図３に示すような被写体がＬＣＤ９に表示される。また、撮影対象の被写体が決定され、構図を決定するために撮影補助線機能をＯＮすると、例えば図４に示すように垂直方向に撮影補助線３１ａおよび撮影補助線３１ｂ、水平方向に撮影補助線３２ａおよび撮影補助線３２ｂが被写体と共にＬＣＤ９に表示される。尚、撮影補助線機能のＯＮ／ＯＦＦは、ユーザの任意により切り替えることができる。
【００１８】
図５は、ディジタルカメラ１の信号処理系の全体構成を示す。ディジタルカメラ１の動作は、プログラムメモリ１８に格納されているプログラムがＣＰＵ１６により実行されることにより制御される。シャッターボタン２や電源切替ボタン３、指示ボタン７、機能ボタン類８などのボタン押下情報は操作入力部１７で検出され、ＣＰＵ１６に伝えられる。
【００１９】
はじめに撮影補助線機能がＯＦＦのときの撮影処理について説明する。被写体観察時には、撮像レンズ１０に写った被写体像が、例えばＣＣＤ（Charge Coupled Device）などの撮像素子１１により光電変換され、アナログ電気信号が出力される。アナログ電気信号は、アナログ信号処理部１２に供給され、ガンマ補正や白バランス処理などのアナログ信号処理が施される。アナログ信号処理部１２の出力信号は、Ａ／Ｄ（Analog to Digital）変換部１３によりディジタル信号に変換され、ディジタル出力信号はディジタル信号処理部１４に供給される。
【００２０】
ディジタル信号処理部１４で色分離、輪郭保障などの信号処理が施され、ディジタル信号処理部１４から画像データが出力される。画像データは、バス１５を経由して、画像用メモリ１９に一時的に保管される。また、画像データは映像信号生成処理部２１に供給される。映像信号生成処理部２１で、画像データは映像信号に変換され、ＬＣＤ９に出力される。また、映像信号を、外部端子を介して接続されたテレビジョンのモニターなどの外部表示装置に出力するようにすることもできる。上述した信号処理は、画像データの毎フレームごとに行われる。
【００２１】
撮影時には、ユーザがシャッターボタン２を押下することで、撮像レンズ１０に写った被写体像は撮像素子１１で光電変換され、アナログ信号処理部１２、Ａ／Ｄ変換部１３、ディジタル信号処理部１４、バス１５、画像用メモリ１９の順で伝達される。画像用メモリ１９内の画像データは、バス１５を経由して再びディジタル信号処理部１４に供給され、ＪＰＥＧ（Joint Photographic Experts Group）などの画像圧縮処理が施され、メモリーカード２０などの記録メディアに格納される。また、例えば再生モード時では、画像データはメモリーカード２０から読み出され、映像信号生成処理部２１で映像信号に変換されてＬＣＤ９に出力される。
【００２２】
次に撮影補助線機能がＯＮのときの撮影処理について説明する。撮像レンズ１０に写った被写体像を撮像素子１１で光電変換し、アナログ信号処理およびディジタル信号処理が施された画像データが画像用メモリ１９に一時的に保管されるまでの動作は撮影補助線機能がＯＦＦの場合と同様である。画像データが画像用メモリ１９に保管された後に、ＣＰＵ１６はプログラムメモリ１８に格納されたプログラムに従って画像データに処理を施す。
【００２３】
図６は、ＣＰＵ１６によって実行される画像データに撮影補助線を施す処理のフローチャートである。ステップＳ０で処理がスタートし、ステップＳ１では撮影補助線機能がＯＮであるか否かが判別される。撮影補助線機能がＯＦＦの場合は、撮影補助線は表示されないため、処理は終了する（ステップＳ６）。撮影補助線機能がＯＮであれば動作はステップＳ２へ進む。
【００２４】
ステップＳ２では、画像用メモリ１９に格納されている画像データが、記録用の第１の画像信号（以下、記録用の画像信号と称する）および表示用の第２の画像信号（以下、表示用の画像信号と称する）のいずれかが判別される。ここで、記録用の画像信号とは、例えばユーザのシャッター操作により取り込まれた画像の画像信号を意味する。また、表示用の画像信号とは、例えば被写体の構図決定時にＬＣＤ９に表示される画像の画像信号を意味する。
【００２５】
ステップＳ２で、画像信号が記録用の画像信号と判別された場合は、撮影補助線は施されないため処理は終了する（ステップＳ６）。画像信号が表示用の画像信号と判別された場合は、処理はステップＳ３に進む。
【００２６】
ステップＳ３では、表示用の画像信号を構成する各画素情報の走査処理が終了したか否かが判別される。はじめは画素情報の走査処理が行われていないため、動作はステップＳ４以降に進む。ステップＳ４およびステップＳ５の処理を、図７を用いて説明する。
【００２７】
ステップＳ４およびステップＳ５では、表示用の画像信号を構成する画素の走査処理が行われる。画素の位置情報を（ｘ，ｙ）と表した場合に、画素のｘ座標が予め設定されたｘ１若しくはｘ２と等しければ、該当する画素に撮影補助線の色情報の値を上書きする（ステップＳ４）。図７に示すように、ｘ座標がｘ１若しくはｘ２の画素に対して撮影補助線の色情報の値を上書きすると、撮影補助線３１ａおよび撮影補助線３１ｂが表示される。
【００２８】
同様に、ｙ座標が予め設定されたｙ１若しくはｙ２である画素に対しても撮影補助線の色情報の値を上書きする（ステップＳ５）。色情報の上書きにより撮影補助線３２ａおよび撮影補助線３２ｂが表示される。ステップＳ４およびステップＳ５の処理が終わると、動作はステップＳ３へ戻る。ステップＳ３で、すべての画素に対して走査処理が終了したか否かが判別され、終了した場合は一連の処理は終了する（ステップＳ６）。処理が終了すると図８に示すように、ユーザに対しては被写体の画像信号に撮影補助線が上書きされた画像データの画像が表示される。
【００２９】
上述した撮影補助線のためのプログラムは、ＣＰＵ１６によって毎フレームごとに実行される。フレームごとの処理のタイミングの一例を、図９を用いて説明する。画像用メモリ１９には画像データを構成する各フレームが供給される。フレームＦ１、フレームＦ２、フレームＦ３・・・フレームＦｎのように各フレームに対してステップＳ２で記録用の画像信号か否かが判別がされる。
【００３０】
図９Ａでは、例えばフレームＦ２が記録用の画像信号と判別され、他のフレームは表示用の画像信号とされている。図９Ｂに示すように記録の画像信号であるフレームＦ２以外のフレームに対して撮影補助線の上書き処理が行われる。このようにして撮影補助線の上書き処理は、フレームごとに連続して行われる。
【００３１】
フレームごとの処理の過程で記録用の画像信号であるか否かが判別されるため、フレームＦ２に対して撮影補助線が表示されることはない。従って、フレームＦ２のデータは、撮影補助線を付加されること無く、ディジタル信号処理部１４に送られて画像圧縮処理を施され、メモリーカード２０に格納される。また、再生モード時には、メモリーカード２０からフレームＦ２が読み出され、映像信号に変換されてＬＣＤ９に表示される。
【００３２】
この発明は、この発明の要旨を逸脱しない範囲内でさまざまな変形や応用が可能であり、上述した一実施形態に限定されることはない。例えば、ＣＰＵ１６により実行されるプログラムの内容を変えれば、図１０に示すような矩形の撮影補助線３３を表示することもでき、さらには任意の形状の撮影補助線を表示することができる。
【図面の簡単な説明】
【００３３】
【図１】この発明の一実施形態におけるディジタルカメラの正面図である。
【図２】この発明の一実施形態におけるディジタルカメラの背面図である。
【図３】ＬＣＤ９に表示される被写体の一例を示す略線図である。
【図４】ＬＣＤ９に表示される被写体および撮影補助線の一例を示す略線図である。
【図５】この発明の一実施形態におけるディジタルカメラの構成を示すブロック図である。
【図６】この発明の一実施形態における撮影補助線の上書き処理のフローチャートである。
【図７】この発明の一実施形態における撮影補助線の上書き処理を示す略線図である。
【図８】この発明の一実施形態における撮影補助線が重畳された画像が表示される状態を示す略線図である。
【図９】この発明の一実施形態におけるフレーム処理を示すタイミングチャートである。
【図１０】ＬＣＤ９に表示される撮影補助線の他の例を示す略線図である。
【図１１】従来の撮影補助線を表示する方法を示す略線図である。
【符号の説明】
【００３４】
１            ディジタルカメラ
６            撮像レンズ
９            ＬＣＤ
１１          撮像素子
１６          ＣＰＵ
１９          画像用メモリ
２０          メモリーカード
【図１】
2005303428.tif 000003
【図２】
2005303428.tif 000004
【図３】
2005303428.tif 000005
【図４】
2005303428.tif 000006
【図５】
2005303428.tif 000007
【図６】
2005303428.tif 000008
【図７】
2005303428.tif 000009
【図８】
2005303428.tif 000010
【図９】
2005303428.tif 000011
【図１０】
2005303428.tif 000012
【図１１】
2005303428.tif 000013